(57)【特許請求の範囲】
【請求項１】
長手方向、前記長手方向と直交する幅方向、及び厚さ方向を有し、
使い捨ておむつの長手方向の中心よりも前側に位置する前側域と、前記使い捨ておむつの前記長手方向の中心よりも後側に位置する後側域と、
前記前側域及び前記後側域に跨がって配置される吸収体と、
シート材及び弾性部材を有し、前記使い捨ておむつの幅方向の中心よりも前記幅方向の両外側に配置される一対の立体ギャザーと、を備える使い捨ておむつであって、
前記立体ギャザーは、
起立不能な基端部と、前記弾性部材によって長手方向に収縮し、前記基端部を支点として前記厚さ方向の肌側に起立可能な起立部と、を含み、
前記基端部は、前記起立部の前記長手方向の両外端縁に配置される第１基端部と、
前記起立部の前記幅方向の外側縁に配置される第２基端部と、を有し、
前記起立部は、前記シート材同士が接合し、前記起立部の幅方向の長さを狭める接合部を有し、
前記接合部は、前記後側域と前記前側域に配置されており、
前記後側域の吸収体は、前記使い捨ておむつの前記長手方向の中心に位置する吸収体よりも剛性が高い高剛性部を有し、
前記高剛性部には、前記使い捨ておむつの前記長手方向の中心側から前記後側へ延び、かつ前記幅方向の内側から前記幅方向の外側に延びる一対の後側ラインが設けられており、
前記後側ラインにおいては、前記吸収体の肌側に窪みが設けられており、当該窪みよりも非肌側には圧搾された状態の部分が設けられており、
前記後側域における前記起立部の長手方向の長さに対する前記接合部の長手方向の長さの比率は、前記前側域における前記起立部の長さに対する前記接合部の長手方向の長さの比率よりも高い、使い捨ておむつ。
【請求項２】
前記後側域において、前記第１基端部と前記接合部とは、離間している、請求項１に記載の使い捨ておむつ。
【請求項３】
前記接合部は、前記使い捨ておむつの前記長手方向の中心を跨ぎ、前記第１基端部のそれぞれと離間しており、
前記後側域に位置する前記第１基端部と前記接合部の後端縁との距離は、前記前側域に位置する前記第１基端部と前記接合部の前端縁との距離よりも短い、請求項１又は請求項２に記載の使い捨ておむつ。
【請求項４】
前記弾性部材は、前記幅方向に距離を空けて複数配置されており、
最も幅方向の内側に位置する内側弾性部材の伸長率は、前記内側弾性部材よりも幅方向の外側に位置する弾性部材の伸長率よりも高い、請求項１から請求項３のいずれかに記載の使い捨ておむつ。
【請求項５】
前記吸収体の前記幅方向における両側部には、一対のラインが設けられており、
前記一対のラインは、前記後側ラインを含み、
前記ラインにおいては、前記吸収体の肌側に窪みが設けられており、当該窪みよりも非肌側には圧搾された状態の部分が設けられており、
前記ラインは、前記幅方向における内側へ突出した凸頂部を有し、
前記後側ラインは、前記凸頂部を始点として前記幅方向における外側かつ前記後側へ延びる直線状又は前記幅方向の外側へ湾曲した曲線状である、請求項１から請求項４のいずれかに記載の使い捨ておむつ。
【発明の詳細な説明】
【技術分野】
【０００１】
本発明は、使い捨ておむつに関する。
【背景技術】
【０００２】
特許文献１には、吸収性コアと、吸収性コアよりも幅方向の外側において吸収性コアが存在しない辺縁部と、立体ギャザーと、を有する使い捨ておむつが開示されている。特許文献１の立体ギャザーは、吸収性コアよりも幅方向両側に固定されており、辺縁部近傍を基点として着用者側に立ち上がる。
【先行技術文献】
【特許文献】
【０００３】
【特許文献１】特開２０１４−１８０３４６号公報
【発明の概要】
【発明が解決しようとする課題】
【０００４】
立体ギャザーが立ち上がった状態の最大高さは、立体ギャザーの固定部分と立体ギャザーの内側縁との距離となる。特許文献１の立体ギャザーは、固定部分が吸収性コアよりも幅方向の外側に位置するため、固定部分が吸収性コア上に位置する構成と比較して、固定部分と立体ギャザーの内側縁との距離が長くなる。よって、特許文献１の立体ギャザーの高さは、高くなり易い。
【０００５】
しかし、立体ギャザーの高さが高過ぎると、立体ギャザーが幅方向の外側に向かって倒れることがある。特に、後側域の立体ギャザーが幅方向の外側に向かって倒れると、立体ギャザーと吸収コアとの間に便を収容する便ポケットを設けることができず、便の漏れが発生するおそれがある。
【０００６】
また、立体ギャザーの固定部分と立体ギャザーの内側縁との距離が長過ぎたり、左右の立体ギャザー間の距離が狭まったりして、後側域の立体ギャザーの内側縁が着用者の臀裂内に入り込むと、立体ギャザーが臀部の膨らみを覆いに難くなり、便の漏れが発生するおそれがある。
【０００７】
そこで、本発明は、上述の課題に鑑みてなされたものであり、立体ギャザーによって便の漏れを抑制できる使い捨ておむつを提供することを目的とする。
【課題を解決するための手段】
【０００８】
上述した課題を解決するため、本開示に係る使い捨ておむつ（使い捨ておむつ１）は、長手方向（長手方向Ｌ）、前記長手方向と直交する幅方向（幅方向Ｗ）、及び厚さ方向（厚さ方向Ｔ）を有し、前記使い捨ておむつの長手方向の中心よりも前側に位置する前側域（前側域３）と、前記使い捨ておむつの前記長手方向の中心よりも後側に位置する後側域（後側域２）と、前記前側域及び前記後側域に跨がって配置される吸収体（吸収体１１）と、シート材（サイドシート１４）及び弾性部材（立体ギャザー弾性部材１５５）を有し、前記使い捨ておむつの幅方向の中心（使い捨ておむつの幅方向の中心１ＷＣ）よりも前記幅方向の両外側に配置される一対の立体ギャザー（立体ギャザー１５）と、を備える使い捨ておむつであって、前記立体ギャザーは、起立不能な基端部と、前記弾性部材によって長手方向に収縮し、前記基端部を支点として前記厚さ方向の肌側に起立可能な起立部（起立部１５４）と、を含み、前記基端部は、前記起立部の前記長手方向の両外端縁に配置される第１基端部（第１基端部１５１）と、前記起立部の前記幅方向の外側縁に配置される第２基端部（第２基端部１５２）と、を有し、前記起立部は、前記シート材同士が接合し、前記起立部の幅方向の長さを狭める接合部（接合部１５３）を有し、前記接合部は、前記後側域に配置されており、前記後側域の吸収体は、前記使い捨ておむつの前記長手方向の中心に位置する吸収体よりも剛性が高い高剛性部（高剛性部１９）を有することを要旨とする。
【発明の効果】
【０００９】
本開示によれば、着用者の臀部に対するフィット性を高めて、排泄物の漏れを抑制する吸収性物品を提供できる。
【図面の簡単な説明】
【００１０】
【図１】一実施形態に係る使い捨ておむつの斜視イメージ図である。
【図２】展開状態の使い捨ておむつの平面図である。
【図３】立体ギャザーの平面図である。
【図４】使い捨ておむつの幅方向に沿った断面図である。（ａ）は、図２のＡ−Ａ線を基準とした断面図であり、（ｂ）は、図２のＢ−Ｂ線を基準とした断面図であり、（ｃ）は、図２のＣ−Ｃ線を基準とした断面図である。
【図５】着用者に装着された状態の使い捨ておむつの長手方向に沿った断面図である。（ａ）は、比較例に係る使い捨ておむつであり、（ｂ）は、実施形態に係る使い捨ておむつである。
【図６】立体ギャザーの起立部の幅方向に沿った断面図である。（ａ）は、比較例に係る使い捨ておむつであり、（ｂ）は、実施形態に係る使い捨ておむつである。
【発明を実施するための形態】
【００１１】
本明細書及び添付図面の記載により、少なくとも以下の事項が明らかとなる。
【００１２】
長手方向、前記長手方向と直交する幅方向、及び厚さ方向を有し、
前記使い捨ておむつの長手方向の中心よりも前側に位置する前側域と、前記使い捨ておむつの前記長手方向の中心よりも後側に位置する後側域と、
前記前側域及び前記後側域に跨がって配置される吸収体と、
シート材及び弾性部材を有し、前記使い捨ておむつの幅方向の中心よりも前記幅方向の両外側に配置される一対の立体ギャザーと、を備える使い捨ておむつであって、
前記立体ギャザーは、
起立不能な基端部と、前記弾性部材によって長手方向に収縮し、前記基端部を支点として前記厚さ方向の肌側に起立可能な起立部と、を含み、
前記基端部は、前記起立部の前記長手方向の両外端縁に配置される第１基端部と、
前記起立部の前記幅方向の外側縁に配置される第２基端部と、を有し、
前記起立部は、前記シート材同士が接合し、前記起立部の幅方向の長さを狭める接合部を有し、
前記接合部は、前記後側域に配置されており、
前記後側域の吸収体は、前記使い捨ておむつの前記長手方向の中心に位置する吸収体よりも剛性が高い高剛性部を有する、使い捨ておむつ。
【００１３】
このような使い捨ておむつによれば、立体ギャザーの起立部は、第１基端部及び第２基端部を基点として着用者側に立ち上がる。幅方向に沿った断面において、立体ギャザーの起立部は、第２基端部を基点に立ち上がる。立体ギャザーが立ち上がった状態の最大高さは、第２基端部と立体ギャザーの内側縁との距離となる。
【００１４】
後側域の立体ギャザーには、接合部が配置されている。接合部が配置された部分は、接合部が配置されていない部分と比較して、第２基端部と立体ギャザーの内側縁との距離が短くなる。第２基端部と立体ギャザーの内側縁との距離が比較的短いことにより、立体ギャザーの弾性部材と第２基端部との間の張力及び立体ギャザーの弾性部材と第１基端部との間の張力が維持され易く、着用時に立体ギャザーの内側縁が幅方向の外側に倒れこむように展開し難くなる。よって、立体ギャザーによる便ポケットを設け易くなり、排泄物の漏れを抑制できる。また、第１基端部が第２基端部よりも幅方向の内側に位置するため、立体ギャザーの内側縁は、第１基端部に引っ張られて、幅方向の内側に倒れやすい。よって、便ポケットが形成され易い。
【００１５】
また、後側域の吸収体の剛性が比較的高く、腰周りに配置される弾性部材や着用時に両足から幅方向内側に向かう力を受けても幅方向に対して反発しやすいため、左右の立体ギャザーが幅方向の内側に入り込み難くなる。左右の立体ギャザーが幅方向の内側に入り込み難いため、臀部の膨らみを覆うような適切な位置に立体ギャザーを配置できる。左右の立体ギャザーが幅方向の内側に入り込み難いため、立体ギャザーが内側に入り込む際に立体ギャザーの内側縁が幅方向の外側に展開するように倒れこむことを防止できる。立体ギャザーを幅方向における適した位置に設けることができ、立体ギャザーによって便の漏れを抑制することができる。
【００１６】
かかる使い捨ておむつであって、
前記後側域に位置する前記第１基端部と前記接合部とは、離間していることが望ましい。
【００１７】
このような使い捨ておむつによれば、後側域に位置する第１基端部と接合部との間は、接合部が設けられず、第２基端部と立体ギャザーの内側縁との距離が比較的長い。接合部が設けられない領域において、立体ギャザーによるポケットを大きく形成でき、便を収容する空間を広く確保することができる。
【００１８】
かかる使い捨ておむつであって、
前記接合部は、前記前側域に配置されており、
前記後側域における前記起立部の長手方向の長さに対する前記接合部の長手方向の長さの比率は、前記前側域における前記起立部の長さに対する前記接合部の長手方向の長さの比率よりも高いことが望ましい。
【００１９】
このような使い捨ておむつによれば、後側域の起立部における接合部が配置される領域の比率は、前側域における起立部における接合部が配置される領域の比率よりも高い。よって、後側域は、比較的低くなり易い領域の比率が多く、起立部の高さを抑え易くなる。
後側域の立体ギャザーの高さが高くなり過ぎることを効果的に抑制し、立体ギャザーの内側縁が立ち上がりすぎることによる立体ギャザーの幅方向外側への倒れをより抑制できる。
【００２０】
また、着用者の脚回り及び腰周りの形状は、一般的に前側よりも後側が膨らんでいる。使い捨ておむつの長手方向中心よりも後側において効果的に立体ギャザーの高さを抑制されるため、装着時に立体ギャザーが臀部等に当たって、幅方向外側に捲り返ったり幅方向内側に入り込んだりすることを抑制できる。特に後側域において、立体ギャザーの幅方向外側への倒れを抑制したり、臀部の膨らみを覆うように立体ギャザーを配置したりすることで、排泄物の漏れを抑制できる。
【００２１】
一方、前側域においては、後側域と比較して立体ギャザーの高さを確保することができる。前側域に排出される排泄物は、主に尿であり、便と比較して流動性が高い。多量の排尿時に直ぐに吸収できない場合には、比較的高い立体ギャザーが防波堤として機能する。
【００２２】
かかる使い捨ておむつであって、
前記接合部は、前記使い捨ておむつの前記長手方向の中心を跨ぎ、前記第１基端部のそれぞれと離間しており、
前記後側域に位置する前記第１基端部と前記接合部の後端縁との距離は、前記前側域に位置する前記第１基端部と前記接合部の前端縁との距離よりも短いことが望ましい。
【００２３】
このような使い捨ておむつによれば、接合部が使い捨ておむつの長手方向の中心を跨いで配置されることにより、使い捨ておむつの長手方向の中心に位置する起立部は、第２基端部との距離が短くなり、幅方向の外側に引っ張られる。よって、使い捨ておむつの長手方向の中心に位置する弾性部材の張力は、高い状態を維持し易い。使い捨ておむつの長手方向の中心に位置する起立部は、第１基端部に引っ張られて、幅方向の内側に倒れた状態を維持し易い。また、使い捨ておむつの長手方向の中心に位置する起立部は、高さが抑制され、幅方向の外側に倒れることをより効果的に抑制できる。
【００２４】
加えて、使い捨ておむつの長手方向の中心に位置する起立部は、第２基端部に引っ張られて、幅方向の外側に引っ張られる。よって、立体ギャザーが着用者側に立ち上がった状態を維持し易く、左右の立体ギャザー間を広く設けることができる。また、後側域における接合部は、前側域の接合部よりも第１基端部に近い。立体ギャザーの高さを抑制することで立体ギャザーが幅方向の内側に倒れる効果を、後側域においてより発揮し易くなる。
後側域の立体ギャザーの起立部は、第２基端部側に引っ張られ、かつ第１基端部側に引っ張られ、幅方向内側に少し倒れた状態となる。そのため、立体ギャザーと吸収体との間に便を収容する空間を形成し、かつ便と肌の間に配置される立体ギャザーによって便が直接肌に触れることを抑制できる。
【００２５】
かかる使い捨ておむつであって、
前記弾性部材は、前記幅方向に距離を空けて複数配置されており、
最も幅方向の内側に位置する内側弾性部材の伸長率は、前記内側弾性部材よりも幅方向の外側に位置する弾性部材の伸長率よりも高いことが望ましい。
【００２６】
このような使い捨ておむつによれば、複数の弾性部材が幅方向に距離を空けて配置されていることにより、弾性部材によって収縮する部分は、幅方向に一定の長さを有し、面状となる。弾性部材によって収縮する部分が面状であるため、便ポケットの幅方向の長さが確保し易くなる。また、弾性部材によって収縮する部分が面状であるため、１本の弾性部材が収縮する構成と比較して肌への当たりを和らげることができる。
【００２７】
また、内側弾性部材は、他の弾性部材と比較して、第２基端部に対する距離が長く、第２基端部によって引っ張られ難い。しかし、内側弾性部材の伸長率が他の弾性部材の伸長率よりも高いため、内側弾性部材の撓みを抑制し、便ポケットをより形成し易くなる。
【００２８】
かかる使い捨ておむつであって、
前記高剛性部には、前記使い捨ておむつの前記長手方向の中心側から前記後側へ延び、かつ前記幅方向の内側から前記幅方向の外側に延びる一対の後側ラインが設けられており、
前記後側ラインにおいては、前記吸収体の肌側に窪みが設けられており、当該窪みよりも非肌側には圧搾された状態の部分が設けられていることが望ましい。
【００２９】
このような使い捨ておむつによれば、後側域の吸収体は、後側ラインを有するため、高い剛性を有する。また、後側ラインは、使い捨ておむつの長手方向の中心側から前記後側へ延び、かつ前記幅方向の内側から幅方向の外側に延びるため、幅方向の外側から幅方向の内側に向かう力がかかった際に、突っ張り棒のような役割を果たし、吸収体が幅方向内側に変形することを抑制できる。よって、着用者の臀部の膨らみに沿って吸収体が配置され易い。吸収体が臀部の膨らみを覆うように配置されることにより、立体ギャザーも臀部の膨らみに沿って配置され易く、立体ギャザーをより適切な位置に配置でき、立体ギャザーによって排泄物の漏れを防止できる。
【００３０】
かかる使い捨ておむつであって、
前記吸収体の前記幅方向における両側部には、一対のラインが設けられており、
前記一対のラインは、前記後側ラインを含み、
前記ラインにおいては、前記吸収体の肌側に窪みが設けられており、当該窪みよりも非肌側には圧搾された状態の部分が設けられており、
前記ラインは、前記幅方向における内側へ突出した凸頂部を有し、
前記後側ラインは、前記凸頂部を始点として前記幅方向における外側かつ前記後側へ延びる直線状又は前記幅方向の外側へ湾曲した曲線状であることが望ましい。
【００３１】
かかる使い捨ておむつであって、
前記吸収体の前記幅方向における両側部には、一対のラインが設けられており、
前記ラインにおいては、前記吸収体の肌側に窪みが設けられており、当該窪みよりも非肌側には圧搾された状態の部分が設けられており、
前記一対のラインは、
前記幅方向における内側へ突出した凸頂部と、
前記凸頂部を始点として前記幅方向における外側かつ前記後側へ延びる直線状又は前記幅方向の外側へ湾曲した曲線状の後側ラインと、を有することが望ましい。
【００３２】
このような使い捨ておむつによれば、後側域の吸収体は、後側ラインを有するため、高い剛性を有する。また、ラインは、凸頂部を始点として幅方向における外側かつ長手方向における使い捨ておむつの後側へ延びる直線状又は外側へ湾曲した曲線状の後側ラインを有する。後側ラインは、幅方向の外側かつ後側に延びるため、着用者の股下から臀部側に向かって臀部の膨らみを覆うように幅方向の外側に広がる。よって、着用者の臀部の膨らみに沿って吸収体が配置され易い。吸収体が臀部の膨らみを覆うように配置されることにより、立体ギャザーも臀部の膨らみに沿って配置され易く、立体ギャザーをより適切な位置に配置でき、立体ギャザーによって排泄物の漏れを防止できる。
【００３３】
＝＝＝本実施の形態に係る吸収性物品について＝＝＝
次に、本発明に係る使い捨ておむつ１の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００３４】
（１）使い捨ておむつの全体概略構成
図１は、一実施形態に係る使い捨ておむつの斜視イメージ図である。図２は、展開状態の使い捨ておむつの平面図である。図３は、立体ギャザーの平面図である。図４は、使い捨ておむつの幅方向に沿った断面図である。図２に示す平面図及び図３に示す平面図は、使い捨ておむつを構成するトップシート１２、サイドシート１４、立体ギャザー１５等の皺が形成されない状態まで、立体ギャザー弾性部材１５５等の弾性部材を伸長させた伸長状態の図である。
【００３５】
使い捨ておむつ１は、長手方向Ｌ、長手方向Ｌと直交する幅方向Ｗ、及び厚さ方向Ｔを有する。長手方向Ｌは、着用者の腹側に配置される前側外装体３０と、着用者の背側に配置される後側外装体２０と、を結ぶ方向である。厚さ方向Ｔは、着用者に接触する方向である肌側Ｔ１と、その逆側の非肌側Ｔ２と、を結ぶ方向である。
【００３６】
使い捨ておむつ１は、使い捨ておむつの長手方向の中心１ＬＣよりも後側に位置する後側域２と、使い捨ておむつの長手方向の中心１ＬＣよりも前側に位置する前側域３と、を有する。使い捨ておむつ１は、所謂３ピースタイプであり、３つの部品を有している。使い捨ておむつ１は、第１部品として着用者の股間部にあてがわれ、排泄物を吸収する吸収性本体と、第２部品として着用者の背側部を覆う後側外装体２０と、第３部品として着用者の腹側部を覆う前側外装体３０と、を有する。
【００３７】
吸収性本体１０は、図４に示すように、吸収体１１、トップシート１２、バックシート１３、及びサイドシート１４、を少なくとも有する。吸収体１１は、粉砕パルプや高吸収ポリマーなど、公知の部材や材料を用いて適宜構成された吸収コア１１ａを有する。吸収コア１１ａは、コアラップ１１ｂによって包まれていてよい。吸収体１１の構成については、後述にて詳細に説明する。
【００３８】
吸収体１１の表面側（肌側）には、液透過性のトップシート１２が備えられる。トップシート１２は、吸収体１１の肌面側を覆う。トップシート１２の外側縁は、吸収体１１よりも幅方向の外側に延出する。吸収体１１の非肌側には、液不透過性のバックシート１３が備えられる。吸収体１１の外側縁（幅方向における外側端）には、サイドシート１４がそれぞれ備えられる。サイドシート１４は、吸収体１１の外側縁を覆い、吸収体１１よりも幅方向外側に延出する。サイドシートの内側縁は、吸収体１１上に配置される。吸収体１１よりも幅方向の外側に延出したサイドシート１４は、吸収体１１の外側縁よりも幅方向の外側に位置する基点にて非肌側に折り返されている。非肌面側に折り返されたサイドシート１４の一部は、吸収体１１の非肌側に配置される。
【００３９】
吸収性本体１０は、立体ギャザー１５と、レッグギャザー１６と、を有する。立体ギャザー１５は、シート材としてのサイドシート１４と、弾性部材としての立体ギャザー弾性部材１５５と、を有する。立体ギャザー１５は、使い捨ておむつの幅方向の中心１ＷＣよりも幅方向の両外側に一対に配置される。なお、立体ギャザーは、サイドシート１４とは別のシート材によって構成されていてもよい。立体ギャザー１５については、後述にて詳細に説明する。
【００４０】
レッグギャザー１６は、立体ギャザー１５よりも幅方向の両外側に一対に配置される。レッグギャザー１６は、不織布シート１６１と、フィルムシート１６２と、レッグギャザー弾性部材１６３と、を有する。不織布シート１６１は、吸収性本体１０の外側縁を基点に幅方向内側に折り返され、２層に積層されている。不織布シート１６１間にフィルムシート１６２が配置される。２層の不織布シートのうち非肌側に位置する不織布シートと、フィルムシート１６２と、の間にレッグギャザー弾性部材１６３が配置される。レッグギャザー弾性部材１６３は、糸ゴムによって構成されており、左右のレッグギャザー１６毎に６本ずつ配置される。レッグギャザー弾性部材１６３は、長手方向に伸縮可能であり、幅方向に間隔を空けて配置されている。
【００４１】
後側外装体２０は、図２に示すように、後側シート２１と、後側弾性部材２２と、を少なくとも有する。後側シート２１は、不織布からなり、少なくとも２層に積層されている。後側弾性部材２２は、後側シート２１間に配置され、幅方向に伸縮可能である。前側外装体３０は、図２に示すように、前側シート３１と、前側弾性部材３２と、を少なくとも有する。前側シート３１は、不織布からなり、少なくとも２層に積層されている。前側弾性部材３２は、前側シート３１間に配置され、幅方向に伸縮可能である。
【００４２】
図２に示す展開状態では、後側外装体２０と前側外装体３０とが互いに長手方向に間隔を空けて平行に並んでおり、後側外装体２０と前側外装体３０との間に吸収性本体１０が掛け渡されている。吸収性本体の前端縁は、前側外装体３０に固定され、吸収性本体の後端縁は、後側外装体２０に固定されている。使い捨ておむつは、図２に示す状態から使い捨ておむつ１の長手方向の中心１ＬＣを折り基点として２つ折りにされる。使い捨ておむつは、２つ折りにされた状態で、後側域の外側縁である後側外装体２０の外側縁と、前側域の外側縁である前側外装体３０の外側縁とが接合されることによって、図１に示すパンツ型に形成される。
【００４３】
（２）立体ギャザー
次いで、立体ギャザー１５について詳細に説明する。図３は、立体ギャザー１５の平面を模式的に示した平面図である。立体ギャザー１５は、着用時に着用者側に起立可能なギャザーである。一対の立体ギャザー１５は、使い捨ておむつの幅方向の中心１ＷＣを対称軸として線対称である。双方の立体ギャザー１５の構成は同様であるので、以下では片方の立体ギャザー１５について説明する。立体ギャザー１５は、吸収体１１の外側縁において肌側に立ち上がる壁を形成し、排泄物の横漏れを防止すると共に、吸収体１１の外側縁から幅方向内側に向かって覆い、吸収体１１との間に排泄物を収容するポケットを形成する。
【００４４】
立体ギャザー１５は、起立不能な基端部と、立体ギャザー弾性部材１５５によって長手方向に収縮し、基端部を支点として厚さ方向の肌側に起立可能な起立部１５４と、を含む。立体ギャザーの前端縁は、サイドシートの前端縁であり、立体ギャザーの後端縁は、サイドシートの後端縁である。基端部は、第１基端部１５１と、第２基端部１５２と、を有する。図４（ａ）は、図２のＡ−Ａ線を基準とした使い捨ておむつの幅方向に沿った断面図である。図４（ｃ）は、図２のＢ−Ｂ線を基準とした使い捨ておむつの幅方向に沿った断面図である。図４（ｃ）は、図２のＣ−Ｃ線を基準とした使い捨ておむつの幅方向に沿った断面図である。図４（ａ）は、前側域の断面図であり、図４（ｂ）及び図４（ｃ）は、後側域の断面図である。
【００４５】
第１基端部１５１は、起立部１５４の長手方向の両端縁に配置される。長手方向に離間した一対の第１基端部１５１は、長手方向において起立部１５４を挟んで配置される。一方の第１基端部１５１は、後側外装体２０に配置され、他方の第１基端部１５１は、前側外装体３０に配置される。本実施の形態の第１基端部１５１は、吸収体の肌側においてサイドシート１４とトップシート１２とが接合された部分である。各第１基端部１５１の内端縁（長手方向の内側端）は、起立部１５４の立ち上がり基点となる部分である。
【００４６】
第１基端部１５１は、第２基端部１５２よりも幅方向の内側に位置する。立体ギャザー１５の内側縁１５ＷＩは、第１基端部１５１に引っ張られて、幅方向の内側に倒れ易い。第１基端部１５１の幅１５１Ｗは、起立部の全幅１５４Ｗよりも短くてもよいし、起立部の全幅１５４Ｗと同じであってもよい。第１基端部１５１の幅１５１Ｗが、起立部の全幅１５４Ｗと同じであることにより、立体ギャザーの内側縁が幅方向の内側により倒れ易く
なる。
【００４７】
第２基端部１５２は、起立部から幅方向外側に延びる領域において起立不能に構成された部分であり、吸収体１１の非肌側に配置された部分である。第２基端部１５２は、起立部１５４の外側縁に隣接して配置されている。第２基端部１５２において、サイドシート１４と吸収体１１とは、接合部分Ｒ２を介して接合されている。第２基端部１５２の外側縁１５２ＷＥは、吸収体１１の外側縁に対応する位置であり、起立部１５４の立ち上がり基点となる部分である。
【００４８】
なお、サイドシート１４とトップシート１２は、起立部よりも幅方向外側の領域において接合部分Ｒ２を介して接合されていてよい。当該接合部分が吸収体の肌側に位置する構成にあっては、当該接合部分が第２基端部を構成する。なお、第２基端部１５２は、吸収体１１よりも幅方向の外側に位置してもよいし、吸収体１１に重なっていてもよい。
【００４９】
また、サイドシート１４は、吸収体の外側縁よりも幅方向の外側に延出し、当該幅方向の外側に延出した部分で積層されている。このようにサイドシートが吸収体の外側縁よりも幅方向の外側で折り畳まれているため、立体ギャザーの幅方向の寸法を大きく形成できる。また、サイドシートが吸収体の外側縁よりも幅方向の外側で折り畳まれているため、サイドシートによって吸収体の肌側を覆う面積を少なくでき、吸収性能を維持し易い。
【００５０】
起立部１５４は、第１基端部１５１よりも長手方向の内側、かつ第２基端部１５２よりも幅方向の内側に位置する。起立部１５４は、立体ギャザー１５の内側縁（サイドシート１４の内側縁）１５ＩＥを含んでいる。起立部１５４は、サイドシート１４がトップシート等に固定されていない部分であり、肌側に起立可能に構成された部分である。起立部の幅方向の長さは、第２基端部と立体ギャザーの内側縁との距離である、立体ギャザーの立ち上がり可能な最大高さである。第２基端部と立体ギャザーの内側縁との距離は、第２基端部の外側縁を基点に立体ギャザーを幅方向外側に展開し、立体ギャザーの皺が見えない状態まで伸長させた状態における第２基端部の外側縁と立体ギャザーの内側縁との距離である。
【００５１】
起立部１５４は、シート材としてのサイドシート同士が接合している接合部１５３を有する。接合部１５３は、サイドシート１４同士が接合し、起立部の幅方向の長さを狭める部分である。起立部１５４の幅方向の長さは、図３に示す伸長状態における起立部１５４の幅方向Ｗに沿った長さ（第２基端部１５２と立体ギャザー１５の内側縁との距離）であり、図４に示すように起立部１５４が収縮し、着用者側に立ち上がった状態においては起立部１５４の立ち上がり高さである。
【００５２】
接合部１５３は、例えば、接着剤、熱溶着、超音波溶着によって接合された部分である。図４（ｂ）は、接合部１５３が設けられた領域の断面図である。接合部１５３は、長手方向に延びる折り目ＦＬ１を基点に折り畳まれ、２層に重なったサイドシート１４同士が接合している部分である。図４（ｂ）に示すように、接合部１５３は、立体ギャザー１５と吸収体１１との間の空間に対して外側に配置されている。接合部１５３が設けられた領域における第２基端部１５２と立体ギャザー１５の内側縁との距離は、接合部１５３が設けられていない領域における第２基端部１５２と立体ギャザー１５の内側縁との距離と比較して短い。よって、接合部１５３が設けられた領域では、立体ギャザーの高さを抑えることができる。図４（ｂ）に示す断面における起立部は、図４（ａ）に示す断面における起立部及び図４（ｃ）に示す断面における起立部よりも寝た状態であり、高さが抑えられている。
【００５３】
第２基端部１５２と立体ギャザー１５の内側縁との距離が比較的短いことにより、立体ギャザー弾性部材１５５と第２基端部１５２との間の張力及び立体ギャザー弾性部材１５５と第１基端部１５１との間の張力が維持され易く、着用時に立体ギャザー１５の内側縁が幅方向の外側に倒れこむように展開し難くなる。よって、立体ギャザー１５による便ポケットを設け易くなり、排泄物の漏れを抑制できる。
【００５４】
接合部１５３は、少なくとも後側域２に配置される。後側域２に接合部１５３が配置されているため、後側域２に便を収容するポケットを形成し易い。着用者の肌に便が触れにくくなり、装着感を向上できる。なお、本実施の形態の接合部１５３は、使い捨ておむつの長手方向の中心を跨いでいる。すなわち、接合部１５３は、前側域３と後側域２の両方に配置される。前側域３と後側域２の両方に接合部１５３が配置されているため、前側域３と後側域２の両方に排泄物を収容するポケットを形成し易い。
【００５５】
使い捨ておむつの長手方向の中心に位置する起立部１５４は、高さが抑制され、幅方向の外側に倒れることをより効果的に抑制できる。図５は、図２に示すＸ−Ｘ線を基準とした断面における装着状態の模式断面図である。図５（ａ）は、接合部を有しない比較例に係る使い捨ておむつを示しており、図５（ｂ）は、接合部を有する実施形態に係る使い捨ておむつを示している。図５（ｂ）において二点鎖線で囲んだ部分は、接合部によって高さが抑制された部分である。使い捨ておむつの長手方向の中心を跨いで接合部が配置されることにより、使い捨ておむつの長手方向の中心において、立体ギャザーの高さを抑えることができる。使い捨ておむつの長手方向の中心の立体ギャザーの高さが比較的低いため、立体ギャザーの内側縁が幅方向の内側に入り込み過ぎることを抑制し、着用者の股下を覆うように配置し易くなる。
【００５６】
また、接合部１５３が使い捨ておむつの長手方向の中心を跨いで配置されることにより、使い捨ておむつの長手方向の中心に位置する起立部１５４は、第２基端部１５２に対する距離が短くなり、幅方向の外側に引っ張られる。よって、使い捨ておむつの長手方向の中心に位置する立体ギャザー弾性部材１５５の張力は、高い状態を維持し易い。使い捨ておむつの長手方向の中心に位置する起立部１５４は、第１基端部１５１に引っ張られて、幅方向の内側に倒れた状態を維持し易い。加えて、使い捨ておむつの長手方向の中心に位置する起立部１５４は、第２基端部１５２に引っ張られて、幅方向の外側に引っ張られる。よって、立体ギャザー１５が着用者側に立ち上がった状態を維持し易く、左右の立体ギャザー１５間を広く設けることができる。
【００５７】
後側域２の立体ギャザーの長手方向の長さＬ１は、前側域３の立体ギャザー１５の長手方向の長さＬ２よりも短い。このような構成によれば、後側域２の立体ギャザーは、前側域３と比較して第１基端部１５１による幅方向の内側へ倒す効果が発揮され易くなる。図４（ｃ）に示す断面における起立部は、図４（ａ）に示す断面における起立部よりも寝た状態であり、高さが抑えられている。
【００５８】
接合部１５３の前端縁は、前側域３に位置する第１基端部１５１と離間しており、前側域３に位置する第１基端部１５１よりも後方に位置する。前側域３に位置する第１基端部１５１と接合部１５３との間は、第２基端部１５２と立体ギャザー１５の内側縁との距離が比較的長い。接合部１５３が設けられない領域において、立体ギャザー１５によるポケットを大きく形成でき、ポケットの収容空間を広く確保することができる。接合部１５３の後端縁は、後側域２に位置する第１基端部１５１と離間しており、後側域２に位置する第１基端部１５１よりも前方に位置する。後側域２に位置する第１基端部１５１と接合部１５３との間は、第２基端部１５２と立体ギャザー１５の内側縁との距離が比較的長い。接合部１５３が設けられない領域において、立体ギャザー１５によるポケットを大きく形成でき、ポケットの収容空間を広く確保することができる。
【００５９】
接合部１５３の長手方向の長さＬ３は、接合部１５３と後側域２に位置する第１基端部１５１との距離Ｌ６よりも長く、接合部１５３と前側域３に位置する第１基端部１５１との距離Ｌ７よりも短い。
【００６０】
後側域２の接合部１５３の長手方向Ｌの長さＬ４は、前側域３の接合部１５３の長手方向Ｌの長さＬ５よりも長い。後側域２に位置する接合部１５３の長さは、接合部１５３の後端縁と使い捨ておむつの長手方向の中心との距離である。前側域３に位置する接合部１５３の長さは、接合部１５３の前端縁と使い捨ておむつの長手方向の中心との距離である。後側域２に位置する接合部１５３の長さが前側域３に位置する接合部１５３の長さよりも長いため、後側域２の立体ギャザー１５の高さが高くなり過ぎることを効果的に抑制し、立体ギャザー１５の内側縁が立ち上がりすぎることによる立体ギャザー１５の倒れをより抑制できる。
【００６１】
後側域２に位置する第１基端部１５１と接合部１５３の後端縁との距離Ｌ６は、前側域３に位置する第１基端部１５１と接合部１５３の前端縁との距離Ｌ７よりも短い。後側域２における接合部１５３は、前側域３の接合部１５３よりも第１基端部１５１に近い。立体ギャザー１５の高さを抑制することで立体ギャザー１５が幅方向の内側に倒れる効果を、後側域２においてより発揮し易くなる。
【００６２】
後側域２における起立部１５４の長さＬ８に対する接合部１５３の長さＬ４の比率は、前側域３における起立部１５４の長さＬ９に対する接合部１５３の長さＬ５の比率よりも高い。後側域２における起立部１５４の長さＬ８とは、後側域２に位置する第１基端部１５１と、使い捨ておむつの長手方向の中心と、の距離であり、後側域２において立ち上がり可能な領域の長さである。同様に、前側域３における起立部１５４の長さとは、前側域３に位置する第１基端部１５１と、使い捨ておむつの長手方向の中心と、の距離であり、前側域３において立ち上がり可能な領域の長さである。
【００６３】
後側域２の起立部１５４における接合部１５３が配置される領域の比率は、前側域３における起立部１５４における接合部１５３が配置される領域の比率よりも高い。よって、後側域２は、比較的低くなり易い領域の比率が多く、起立部１５４の高さを抑え易くなる。後側域２の立体ギャザー１５の高さが高くなり過ぎることを効果的に抑制し、立体ギャザー１５の内側縁が立ち上がりすぎることによる立体ギャザー１５の倒れをより抑制できる。よって、後側域において左右の立体ギャザー１５間を広く設けることができる。
【００６４】
一方、前側域３においては、後側域２と比較して立体ギャザー１５の高さを確保することができる。前側域３に排出される排泄物は、主に尿であり、流動性が高い。多量の排尿時に直ぐに吸収できない場合には、比較的高い立体ギャザーが防波堤として機能し、前側域３における排泄物の漏れを抑制することができる。
【００６５】
また、立体ギャザーの接合部の長手方向の長さと、接合部が設けられていない領域（第１基端部と接合部との距離）との比率は、以下の式１及び２を満たすことが望ましい。式１を満たすことにより、後側域において立体ギャザーと吸収体の間に空間を設けつつ、立体ギャザーによって吸収体を覆うことができる。また、式２を満たすことにより、立体ギャザーを立ち上げ易くすることができる。
（式１）
（後側域に位置する第１基端部の長手方向の長さＬ１０＋後側域の接合部の長手方向の長さＬ４）＞後側域の第１基端部と接合部との距離Ｌ６＞（後側域に位置する第１基端部の長手方向の長さＬ１０＋後側域の接合部の長手方向の長さＬ４）/２
（式２）
前側域の第１基端部と接合部との距離Ｌ７＞（前側域に位置する第１基端部の長手方向の長さＬ１１＋前側域の接合部の長手方向の長さＬ５）
【００６６】
立体ギャザー弾性部材１５５は、糸ゴムによって構成されており、立体ギャザー弾性部材１５５は、左右の立体ギャザー１５毎に４本ずつ配置される。立体ギャザー弾性部材１５５は、長手方向に伸縮可能であり、幅方向に間隔を空けて配置されている。図６は、立体ギャザー弾性部材が設けられた領域の幅方向に沿った断面を模式的に示した図である。図６（ａ）は、立体ギャザー弾性部材が１本である比較例を示しており、図６（ｂ）は、実施の形態に係る立体ギャザーを示している。
【００６７】
複数の立体ギャザー弾性部材１５５が幅方向に距離を空けて配置されていることにより、立体ギャザー弾性部材１５５によって収縮する部分は、幅方向に一定の長さを有し、面状となる。より詳細には、複数の立体ギャザー弾性部材１５５を有することにより、複数の立体ギャザー弾性部材１５５が配置された領域全体を長手方向に縮め、複数の立体ギャザー弾性部材１５５が配置された領域全体を着用者側に押し上げて、立体ギャザー弾性部材１５５によって収縮する部分が面状に形成される。立体ギャザー弾性部材１５５によって収縮する部分が面状であるため、便ポケットの幅方向の長さが確保し易くなる。また、立体ギャザー弾性部材１５５によって収縮する部分が面状であるため、１本の立体ギャザー弾性部材１５５が収縮する構成と比較して肌への当たりを和らげることができる。
【００６８】
立体ギャザー弾性部材１５５において最も幅方向の内側に位置する内側弾性部材１５５１は、立体ギャザー１５の内側縁に位置する。内側弾性部材１５５１の伸長率は、内側弾性部材１５５１よりも幅方向の外側に位置する立体ギャザー弾性部材１５５の伸長率よりも高い。内側弾性部材１５５１は、立体ギャザー弾性部材１５５を構成する他の弾性部材と比較して、第２基端部１５２に対する距離が長く、第２基端部１５２によって引っ張られ難い。しかし、内側弾性部材１５５１の伸長率が他の立体ギャザー弾性部材１５５の伸長率よりも高いため、内側弾性部材１５５１の撓みを抑制し、便ポケットをより形成し易くなる。
【００６９】
（３）吸収体
次いで、吸収体１１について詳細に説明する。吸収体１１には、一対のライン１８が設けられている。ライン１８は、吸収コア１１ａのみに形成されていてもよいし、吸収コア１１ａとコアラップ１１ｂの両方に形成されていてもよい。ライン１８は、吸収体１１の幅方向における両側部に一対に設けられている。ライン１８は、使い捨ておむつの幅方向の中心１ＷＣを対称軸として線対称である。双方のライン１８の構成は同様であるので、以下では片方のラインについて説明する。
【００７０】
ライン１８においては、吸収体の肌側に窪みが設けられており、当該窪みよりも非肌側には圧搾された状態の部分が設けられている。ラインは、具体的には、エンボス加工によって形成される。図２に示すように、ライン１８は、第１凸頂部１８１と、第２凸頂部１８２と、第３凸頂部１８３と、後側ライン１８４と、前側ライン１８５と、中央ライン１８６と、を有する。第１凸頂部１８１は、幅方向の内側に突出した頂点部分である。第１凸頂部１８１は、後側ライン１８４と中央ライン１８６の間に位置し、使い捨ておむつの長手方向の中心又は使い捨ておむつの長手方向の中心よりも後方に位置する。第１凸頂部１８１を通りかつ幅方向に延びる直線上には、接合部１５３が設けられている。第１凸頂部１８１から後側に延びる領域において、吸収体１１は、後側ライン１８４を基点に変形し、臀部を広く覆う形状となる。臀部を広く覆う形状となる領域に接合部１５３が設けられているため、臀部を覆う領域において立体ギャザー１５を起立させ易くなり、排泄物の漏れを抑制できる。
【００７１】
後側ライン１８４は、第１凸頂部１８１を始点として、第１凸頂部１８１から後側に延びる。後側ライン１８４の終点（後端縁）は、吸収コアの外側縁に一致する。後側ライン１８４の後端縁は、後側外装体よりも前側に位置する。後側ライン１８４は、使い捨ておむつの長手方向の中心側から後側へ延び、かつ幅方向の内側から幅方向の外側に延びる。後側ラインの外側縁は、吸収コアの外側縁に位置する。後側ライン１８４は、使い捨ておむつの長手方向の中心側から後側へ延び、かつ幅方向の内側から幅方向の外側に延びるため、幅方向の外側から幅方向の内側に向かう力がかかった際に、突っ張り棒のような役割を果たし、吸収体１１が幅方向内側に変形することを抑制できる。よって、着用者の臀部の膨らみに沿って吸収体１１が配置され易い。吸収体１１が臀部の膨らみを覆うように配置されることにより、立体ギャザー１５も臀部の膨らみに沿って配置され易く、立体ギャザー１５をより適切な位置に配置でき、立体ギャザー１５によって排泄物の漏れを防止できる。
【００７２】
また、後側ライン１８４の平面視の形状は、第１凸頂部１８１を始点として幅方向における外側かつ長手方向における使い捨ておむつの後側へ延びる直線状又は外側へ湾曲した曲線状である。幅方向の外側かつ後側に延びるため、着用者の股下から臀部側に向かって臀部の膨らみを覆うように幅方向の外側に広がる。よって、着用者の臀部の膨らみに沿って吸収体１１が配置され易い。吸収体１１が臀部の膨らみを覆うように配置されることにより、立体ギャザー１５も臀部の膨らみに沿って配置され易く、立体ギャザー１５をより適切な位置に配置でき、立体ギャザー１５によって排泄物の漏れを防止できる。
【００７３】
第２凸頂部１８２は、幅方向の内側に突出した頂点部分である。第２凸頂部１８２は、前側ライン１８５と中央ライン１８６の間に位置し、使い捨ておむつの長手方向の中心よりも前方に位置する。第２凸頂部１８２の内側縁は、第１凸頂部１８１の内側縁よりも幅方向の外側に位置する。第２凸頂部１８２は、前側外装体よりも後側に位置する。
【００７４】
前側ライン１８５は、第２凸頂部１８２を始点として、第２凸頂部１８２から前側に延びる。前側ライン１８５の終点（前端縁）は、吸収コアの外側縁に一致する。前側ライン１８５の前端縁は、前側外装体と重なる領域に位置する。前側ライン１８５は、使い捨ておむつの長手方向の中心側から前側へ延び、かつ幅方向の内側から幅方向の外側に延びる。前側ライン１８５の外側縁は、後側ライン１８４の外側縁よりも幅方向の外側に位置する。
【００７５】
第３凸頂部１８３は、幅方向の内側に突出した頂点部分である。第３凸頂部１８３は、第１凸頂部１８１と第２凸頂部１８２の間に位置し、使い捨ておむつの長手方向の中心よりも前方に位置する。第３凸頂部１８３の内側縁は、第１凸頂部１８１の内側縁よりも幅方向の外側に位置する。そのため、吸収体１１の幅は、長手方向において第１凸頂部１８１が位置する部分において最も狭い。
【００７６】
中央ライン１８６は、前側ライン１８５と後側ライン１８４とを繋げるラインである。中央ライン１８６の長手方向の中央部分には、第３凸頂部１８３が位置する。中央ライン１８６は、第１凸頂部１８１と第３凸頂部１８３の間において幅方向の外側に向かって凸状のラインと、第２凸頂部１８２と第３凸頂部１８３の間において幅方向の外側に向かって凸状のラインと、を有する。
【００７７】
吸収体１１の外側縁には、切欠き１８７が設けられている。切欠き１８７は、第１切欠き１８７１、第２切欠き１８７２、及び第３切欠き１８７３を有する。第１切欠き１８７１の位置は、長手方向において第１凸頂部１８１の位置に対応している。第２切欠き１８７２の位置は、長手方向において第２凸頂部１８２の位置に対応している。第３切欠き１８７３の位置は、長手方向において第３凸頂部１８３の位置に対応している。
【００７８】
後側域２の吸収体１１は、高剛性部１９を有する。高剛性部１９は、使い捨ておむつの長手方向の中心１ＬＣに位置する吸収体より剛性が高い部分である。当該剛性は、吸収体の変形し難さを指標する。高剛性部１９は、具体的には、例えば、使い捨ておむつの長手方向の中心１ＬＣに位置する吸収体１１の幅よりも幅が長い部分、使い捨ておむつの長手方向の中心１ＬＣに位置する吸収体１１よりも目付が高い部分、使い捨ておむつの長手方向の中心１ＬＣに位置する吸収体１１とラインの形状が異なっており剛性が高い部分である。
【００７９】
後側域２が高剛性部１９を有することにより、後側域２において左右の立体ギャザー１５が幅方向の内側に入り込み難くなる。左右の立体ギャザー１５が幅方向の内側に入り込み難いため、臀部の膨らみを覆うような適切な位置に立体ギャザー１５を配置できる。左右の立体ギャザー１５が幅方向の内側に入り込み難いため、立体ギャザー１５が内側に入り込む際に立体ギャザー１５の内側縁が幅方向の外側に展開するように倒れこむことを防止できる。立体ギャザー１５を幅方向における適した位置に設けることができ、立体ギャザー１５によって便の漏れを抑制することができる。
【００８０】
後側域の吸収コア１１ａの幅は、使い捨ておむつの長手方向の中心１ＬＣに位置する吸収コア１１ａの幅よりも長い。また、後側域２の吸収体１１の剛性は、前側域３の吸収体１１の剛性よりも高くてよい。後側域の吸収コア１１ａの幅は、前側域の吸収コア１１ａの幅よりも長くてもよい。具体的には、図４（ｂ）に示す後側域の吸収コアの幅Ｗ２及び図４（ｃ）に示す後側域の吸収コアの幅Ｗ３は、図４（ａ）に示す後側域の吸収コアの幅Ｗ１よりも長い。よって、後側域の吸収コア１１ａの剛性は、前側域の吸収コア１１ａの剛性よりも高い。また、図４（ｃ）に示す後側域の吸収コアの幅Ｗ３は、図４（ｂ）に示す後側域の吸収コアの幅Ｗ２よりも長い。後側域２の吸収コア１１ａの幅は、後方に向かって長くなっている。
【００８１】
本実施の形態の後側域２の高剛性部１９は、使い捨ておむつの長手方向の中心１ＬＣに位置する吸収体１１の幅よりも幅が広く、かつ後側ライン１８４を有する領域である。図２において高剛性部１９に斜線を付して示す。高剛性部１９の前端縁は、使い捨ておむつの長手方向の中心よりも後方に位置し、接合部１５３の後端縁よりも前方に位置する。高剛性部１９の後端縁は、後側外装体よりも前方に位置し、接合部１５３の後端縁よりも後方に位置する。
【００８２】
高剛性部１９は、使い捨ておむつの長手方向の中心１ＬＣに位置する吸収体１１の幅よりも幅が広いため、幅方向外側から幅方向内側に向かう力がかかった際に変形し難い。また、後側域２の後側ライン１８４の幅は、使い捨ておむつの長手方向の中心１ＬＣに位置する中央ライン１８６の幅よりも長い。よって、後側域２は、幅方向外側から幅方向内側に向かう力がかかった際に変形し難い。高剛性部１９は、吸収体１１の幅が比較的広く、かつ幅方向外側に延びるラインの幅が比較的広いため、幅方向外側から幅方向内側に向かう力がかかった際により変形し難い。
【００８３】
高剛性部１９は、前側域３の少なくとも一部の領域における剛性よりも高く構成されていてもよい。後側域の吸収体の剛性が前側域の吸収体の剛性よりも高いことにより、特に後側域において立体ギャザーが幅入りすることを抑制でき、便を収容するポケットによって排泄物の漏れを効果的に抑制できる。また、高剛性部１９は、後側域２の全体に配置されていてもよいし、後側域２の一部に配置されていてもよい。また、前側域３に、使い捨
ておむつの長手方向の中心１ＬＣに位置する吸収体１１よりも剛性が高い高剛性部が設けられていてもよい。前側域３においても、幅方向外側から幅方向内側に向かう力がかかった際に変形し難くなり、立体ギャザーを幅方向における適した位置に設けることができる。
【００８４】
吸収体１１の剛性は、以下の方法によって測定できる。１８ｍｍ×４０ｍｍのサイズの吸収体を試験サンプルとして用いる。デジタルフォースゲージスタンド（日本電産シンポ株式会社製、ＦＧＰ−５）を用いて測定する。計測アダプタの先端は、直線形状である。デジタルフォースゲージスタンドの測定テーブル上に試験サンプルを載置する。このとき、デジタルフォースゲージの計測アダプタの先端が１８ｍｍの辺に対して平行であって、計測アダプタの先端が試験サンプルの中央に位置するように試験サンプルを配置する。計測アダプタで試験サンプルを押し込む。押し込み速度は、１．５ｍｍ/ｓである。押し込んだ際の最大強度を剛性値とする。
【００８５】
また、使い捨ておむつの長手方向の中心１ＬＣに位置する吸収体１１にライン（中央ライン）が設けられていない構成における高剛性部１９は、使い捨ておむつの長手方向の中心１ＬＣに位置する吸収体１１よりも幅方向の長さが長い部分であってよい。高剛性部１９は、使い捨ておむつの長手方向の中心１ＬＣに位置する吸収体１１よりも幅方向外側から幅方向内側に向かう力が掛かった際に変形し難く構成されていればよい。
【００８６】
（４）その他の実施形態
接合部は、使い捨ておむつの長手方向の中心を跨って配置されていなくてもよく、少なくとも後側域に配置されていればよい。接合部の平面視における形状は、長手方向に延びる矩形に限られず、長手方向に間隔を空けた点状であってもよい。接合部が点状であることにより、接合部間の領域において立体ギャザーによる収容空間を広く形成でき、排泄物の収容空間を広く設けることができる。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８８】
１    ：使い捨ておむつ
２        ：後側域
３        ：前側域
１１      ：吸収体
１４      ：サイドシート（シート材）
１５      ：立体ギャザー
１５１    ：第１基端部
１５２    ：第２基端部
１５３    ：接合部
１５４    ：起立部
１５５    ：立体ギャザー弾性部材
１５５１  ：内側弾性部材
１８      ：ライン
１８１    ：第１凸頂部
１８２    ：第２凸頂部
１８３    ：第３凸頂部
１８４    ：後側ライン
１８５    ：前側ライン
１８６    ：中央ライン
１９      ：高剛性部
１８７１  ：第１切欠き
１８７２  ：第２切欠き
１８７３  ：第３切欠き
Ｌ        ：長手方向
Ｔ        ：厚さ方向
Ｔ１      ：肌側
Ｔ２      ：非肌側
Ｗ        ：幅方向
【要約】
【課題】立体ギャザーによって便の漏れを抑制できる使い捨ておむつを提供する。
【解決手段】使い捨ておむつ１の立体ギャザー１５は、起立不能な基端部と、弾性部材によって長手方向に収縮し、基端部を支点として厚さ方向の肌側に起立可能な起立部と、を含む。基端部は、起立部よりも長手方向の両外側に配置される第１基端部と、起立部よりも幅方向の外側に配置される第２基端部と、を有する。起立部は、第２基端部よりも幅方向の内側においてサイドシート１４同士が接合している接合部１５３を有する。接合部は、後側域２に配置されている。後側域２の吸収体１１は、使い捨ておむつの長手方向の中心に位置する吸収体よりも剛性が高い高剛性部１９を有する。
【選択図】図２【図１】
0005926873.tif 000002
【図２】
0005926873.tif 000003
【図３】
0005926873.tif 000004
【図４】
0005926873.tif 000005
【図５】
0005926873.tif 000006
【図６】
0005926873.tif 000007